(57)【要約】【課題】環境に優しく、リサイクルも可能であり、発生するイオンにより、周辺の空気の消臭や浄化ができるイオン発生器を提供する。また、当該イオン発生器を備える、従来のお守りにない、新たな機能を有するお守りを提供する。【解決手段】イオン発生器は、レアアース含有ナノ粉末を含む内層１２と、内層１２の一方の面に形成された、紙基材から構成される表面層１４Ａと、内層１２の他方の面に形成された、紙基材から構成される裏面層１６Ａと、を有する積層体１０Ａを備える。このイオン発生器はお守りとすることができる。【選択図】  図５
0003231819.tif 000002
【実用新案登録請求の範囲】
【請求項１】
レアアース含有ナノ粉末を含む内層と、
前記内層の一方の面に形成され、紙基材から構成される表面層と、
前記内層の他方の面に形成され、紙基材から構成される裏面層と、
を有する積層体を備えたイオン発生器。
【請求項２】
前記積層体が、長さ４０ｍｍ以上１０００ｍｍ以下、幅２０ｍｍ以上１０００ｍｍ以下、厚さ０．２５ｍｍ以上５ｍｍ以下である、請求項１に記載のイオン発生器。
【請求項３】
前記積層体の前記表面層および／または前記裏面層の表面に、神社の名前または神社に所縁のある文字が印刷された、請求項１または２に記載のイオン発生器。
【請求項４】
前記積層体と、前記積層体を収容する収容容器と、を備える、請求項１〜３のいずれかに記載のイオン発生器。
【請求項５】
請求項１〜４のいずれかに記載のイオン発生器を備えたお守り。
【考案の詳細な説明】
【技術分野】
【０００１】
本考案は、イオン発生器に関するものである。また、本考案は、当該イオン発生器を備えるお守りに関するものである。
【背景技術】
【０００２】
プラスイオンやマイナスイオンを発生させて、消臭や空気の浄化を行う方法が知られている。例えば、特許文献１には、「消臭、抗菌、防カビ、ホルムアルデヒド中和分解などの機能性カード」が開示されている。
【先行技術文献】
【特許文献】
【０００３】
【特許文献１】登録実用新案第３１８６３３９号公報
【考案の概要】
【考案が解決しようとする課題】
【０００４】
近年、使用済みのプラスチック製の袋や包装容器などのプラスチックごみによる環境問題が深刻になっており、プラスチックで製造されるプラスチック製品から、プラスチックの使用割合を低減した製品やプラスチックを使用しない製品への転換が求められている。
【０００５】
特許文献１には、機能性カードの用途として、クレジットカードやバンクカードなどが記載されている。この機能性カードを構成する具体的な樹脂などについては記載がないが、クレジットカード等が通常プラスチックで製造されていることを考えると、特許文献１の機能性カードは環境問題まで配慮したものとはいえなかった。
【０００６】
一方、近年、神社や仏閣は、パワースポットとして注目されたり、御朱印集めが話題となったり、参拝の在り方も多様化している。お守りや御朱印も、時代とともに、そのデザイン性は多様化してきているが、その機能性に着目したものはなかった。
【０００７】
本考案は、かかる事情に鑑みてなされたものであり、本考案の目的は、環境に優しく、リサイクルも可能であり、発生するイオンにより、周辺の空気の消臭や浄化ができる、イオン発生器を提供することである。また、当該イオン発生器を備える、新たな機能を有するお守りを提供することである。
【課題を解決するための手段】
【０００８】
本考案のイオン発生器は、レアアース含有ナノ粉末を含む内層と、前記内層の一方の面に形成され、紙基材から構成される表面層と、前記内層の他方の面に形成され、紙基材から構成される裏面層と、を有する積層体を備える。
【０００９】
このような構成とすることで、積層体を構成する内層に含まれるレアアース含有ナノ粉末と、空気（水分）との反応により常時イオンやラジカルを発生させることができる。レアアース含有ナノ粉末を利用してイオンやラジカルを発生させるために特殊な装置等を必要とせずにメンテナンスが不要であるので、取り扱いやすく、軽量化も容易である。内層の両側に形成される表面層および裏面層は紙基材から構成されており、環境にやさしく、リサイクルも可能である。また、紙基材はインクが剥がれにくいため、表面層や裏面層に所望の文字を入れたデザインとする場合に好適である。
【００１０】
前記積層体は、長さ４０ｍｍ以上１０００ｍｍ以下、幅２０ｍｍ以上１０００ｍｍ以下、厚さ０．２５ｍｍ以上５ｍｍ以下とすることができる。
【００１１】
前記積層体は、前記表面層および／または前記裏面層の表面に、神社の名前または神社に所縁のある文字が印刷されたものとすることができる。
【００１２】
また、本考案のイオン発生器は、前記積層体と、前記積層体を収容する収容容器と、を備えるものとすることができる。このような構成とすることで、耐久性が向上し、積層体の層間の剥がれや破れも生じにくいものにできる。
【００１３】
また、本考案のお守りは、本考案のイオン発生器を備える。このような構成のお守りとすることで、従来のお守りにはない、消臭機能や空気の浄化機能などの機能を付与することができる。上記の通り、本考案のイオン発生器を構成する積層体の表面層や裏面層は、文字等をしっかり印刷できる紙基材で構成されているため、神社の名前や神社に所縁のある文字を記載し、新たな御朱印やお守りとする用途にも適している。
【考案の効果】
【００１４】
本考案によれば、環境に優しく、リサイクルも可能な、イオン発生器が提供される。このイオン発生器は、積層体から発生するイオンによりその周辺の空気の消臭や浄化ができる。また、本考案のイオン発生器は、取り扱いやすく、軽量であり、簡単に持ち運びができるため、人が身に着けることもできる。
また、本考案のお守りは、従来のお守りとしての機能だけでなく、消臭機能や空気の浄化機能などの新たな機能を有する。
【図面の簡単な説明】
【００１５】
【図１】本考案にかかるイオン発生器の斜視図である。
【図２】（ａ）は本考案にかかるイオン発生器の平面図、（ｂ）は正面図である。
【図３】本考案にかかる別の態様のイオン発生器の平面図である。
【図４】本考案にかかる別の態様のイオン発生器の平面図である。
【図５】本考案にかかる別の態様のイオン発生器を構成する積層体の斜視図である。
【考案を実施するための形態】
【００１６】
以下、図１〜図５に基づいて、本考案にかかるイオン発生器１００、１１０、１２０を説明する。図１〜図５において対応する部分には同一の符号を付し、その説明を省略する。なお、以下で説明するイオン発生器１００、１１０、１２０は本考案にかかるイオン発生器を例示するものであり、本考案はこれに限定されない。
【００１７】
（実施の形態１）
図１は、本考案にかかるイオン発生器１００の斜視図、図２（ａ）はイオン発生器１００の平面図、図２（ｂ）はイオン発生器１００の正面図である。
【００１８】
図１、２に示すイオン発生器１００は、レアアース含有ナノ粉末を含む内層１２と、内層１２の一方の面に形成された表面層１４と、内層１２の他方の面に形成された裏面層１６と、を有する積層体１０からなる。積層体１０は、レアアース含有ナノ粉末に起因するイオン発生能力を有する。レアアース含有ナノ粉末は、空気の水分子（Ｈ2Ｏ）を分解し、水素イオンや、水酸化物イオン、オキソニウムイオンなどのイオンを発生させる。また、水素ラジカルやヒドロキシラジカルなどのラジカルを発生させる。この水分子の分解により発生したイオンやラジカルが、空気中に浮遊するアレルギー物質やウィルス、花粉などの周囲の物質に吸着して落下させたり、ウィルスを不活性化することで、空気を浄化したり、消臭や抗菌、防カビなどの効果が得られる。
【００１９】
積層体１０のイオン発生能力は、１秒あたり３００〜５００個である。つまり、１秒あたりに３００〜５００個のイオンを放出する。これにより、人が常時身に着けても安全で、消臭や、抗菌、防カビが期待できる。また、積層体１０の赤外線放射率が７０％以上である。このように遠赤外線放射率が高いため、赤外線がα波と同調し脳をリラックスさせる効果や、抗酸化力の向上も期待できる。
【００２０】
積層体１０は、平面視で長方形状であり、長さＬが８０ｍｍ〜９０ｍｍ、幅Ｗが５０ｍｍ〜６０ｍｍである。また、厚さＴが０．２５ｍｍ〜０．８５ｍｍである。このような大きさであると、持ち運びが容易である。なお、積層体１０の大きさはこれに限定されないので、長さをＬ５００ｍｍ〜１０００ｍｍ、幅Ｗを５００ｍｍ〜１０００ｍｍ、厚さＴを１〜５ｍｍなどとより大きなサイズとしてもよい。
【００２１】
また、積層体１０は、平面視で長方形状であるが、これに限定されないので、丸形や楕円形、三角形や六角形などの多角形、星形など任意である。
【００２２】
［内層２］
内層１２は、レアアース含有ナノ粉末が、不織布や紙等の基材に担持されたシート状物である。レアアース含有ナノ粉末は、トリウムおよび／またはウランを含むことが好ましい。また、レアアース含有ナノ粉末は、レアアース鉱石を粉砕した粉末や、レアアース鉱石の粉末と、ジルコン、ジルコニア、アルミナ、およびシリカからなる群から選択される１種以上を含むセラミックス粉末との混合焼結体を粉砕した粉末とすることができる。微弱な放射線を放射するレアアース鉱石と、常温で遠赤外線を放射する、ジルコニア、アルミナ、およびシリカからなどを含むセラミックスを組み合わせることで、イオン発生能力が高いものとなる。
【００２３】
レアアース含有ナノ粉末の大きさは、０．０１〜１μｍ（好ましくは、０．０４〜０．８μｍ）である。このような大きさで不織布や紙基材に担持されているので、レアアース含有ナノ粉末の表面積が大きくなり、常時安定してイオンを発生させることができる。
【００２４】
[表面層１４]
表面層１４は、内層１２の一方の面に形成される層であり、紙基材から構成される。紙基材は、植物繊維（セルロース）を原料としてシート状に成形されたものであれば特に限定されず、上質紙、中質紙、コート紙、マット紙、クラフト紙、板紙などを用いることができる。また、文字や絵などを印刷した紙基材を用いてもよい。
【００２５】
[裏面層１６]
裏面層１６は、内層１２の他方の面（表面層１４が形成される面と反対側の面）に形成される層であり、紙基材から構成される。紙基材は、表面層１４と同様に、植物繊維（セルロース）を原料としてシート状に成形されたものであれば特に限定されず、上質紙、中質紙、コート紙、マット紙、クラフト紙、板紙などを用いることができる。また、文字や絵などを印刷した紙基材を用いてもよい。なお、表面層１４と裏面層１６を構成する紙基材は同一であってよく、異なるものであってもよい。
【００２６】
表面層１４および裏面層１６の厚さは特に限定されないので、それぞれ、寸法（長さと幅）や使い方等を考慮して適宜決めることができる。例えば、表面層１４および裏面層１６の厚さは、それぞれ独立に、０．０８ｍｍ〜０．４ｍｍとすることができる。
【００２７】
表面層１４と内層１２と裏面層１６との積層は、内層１２の両表面に接着剤を塗布し、表面層１４となる紙基材と裏面層１６となる紙基材とで内層１２を挟んで加圧接着する方法などで実施できる。
【００２８】
（実施の形態２）
図３は、本考案にかかるイオン発生器１１０の平面図である。図３に示すイオン発生器１１０は、積層体１０と、収容容器２０と、フック３０と、紐４０とを備えるものである。収容容器２０は、ポリ塩化ビニ−ルやポリエチレン、ポリプロピレン、ポリアクリレートなどで形成されたプラスチック製の透明なカードケースである。この収容容器２０（カードケース）は、内部に積層体１０を収容することができる空間２２と、長辺側の一方に形成された、積層体１０を出し入れすることのできる開口部２４と、開口部２４を開閉するチャック部２６と、紐４０を取り付ける取付穴２８と、を有する袋状容器である。この収容容器２０は、積層体１０を取り換えることで繰り返し使用することができる。また、紐４０は、フック３０を介して収容容器２０の取付穴２８に取り付けられている。
【００２９】
積層体１０は、イオン発生器１００を構成する積層体１０と同じである。積層体１０は、表面層１４および裏面層１６が紙基材で形成されているため、リサイクルが容易である一方で、層間に剥がれや破れが生じやすくなったり、雨など水に濡れることで積層体１０がふやけたりするおそれがある。収容容器２０に収容する構成とすることで、耐久性が向上し、層間の剥がれや破れも生じにくいものとできる。収容容器２０をプラスチック製とすることで耐水性も向上する。また、首から吊り下げることで、イオン発生器１１０を簡単に身に着け、持ち歩くことができ、積層体１０から発生するイオンにより、イオン発生器１１０を身に着けた人の周辺の空気の消臭や浄化ができる。
【００３０】
（実施の形態３）
図４は本考案にかかるイオン発生器１２０の平面図、図５はイオン発生器１２０を構成する積層体１０Ａの斜視図である。イオン発生器１２０は、図４に示すように、積層体１０Ａと、プラスチック製の収容容器２０Ａと、フック３０と、紐４０とを備えるものである。イオン発生器１２０は、積層体１０の代わりに積層体１０Ａを用い、収容容器２０の代わりに収容容器２０Ａを用いている以外は、イオン発生器１１０と同じである。収容容器２０Ａは、開口部２４Ａおよびこれを開閉するチャック部２６Ａと、取付穴２８Ａが短辺側の一方に形成されていること以外は収容容器２０と同じである。このような構成であるので、イオン発生器１２０では、積層体１０Ａが縦向きとなるように首から吊り下げることができる。
【００３１】
積層体１０Ａは、図５に示すように、レアアース含有ナノ粉末が担持された内層１２と、内層１２の一方の面に形成された表面層１４Ａと、内層１２の他方の面に形成された裏面層１６Ａとを有する。表面層１４Ａは、神社の名前が印刷された和紙または和紙風洋紙であり、裏面層１６Ａは、無地の上質紙である。また、積層体１０Ａは、長さＬが４０ｍｍ〜９０ｍｍであり、幅Ｗが２０ｍｍ〜６０ｍｍであり、厚さＴが０．５ｍｍ〜１ｍｍである。
【００３２】
なお、イオン発生器１００と同様に、積層体１０Ａをそのままイオン発生器として用いることもできる。
【００３３】
上記の通り、本考案のイオン発生器は、新たなお守りとして展開することができる。例えば、積層体の表面層や裏面層として、神社の名前が印刷された紙基材や、句などの神社に所縁のある文字が印刷した紙基材を用いることでお守りとすることができる。例えば、表面層に神社の名前が印刷された積層体１０Ａやこれを備えるイオン発生器１２０は御朱印風のお守りとすることができる。このような構成のお守りは、御朱印を書き記す書き手の負担軽減になり、書き手による字体のバラツキなどによるトラブルも起きにくい。購入者は、お守り本来のご利益だけでなく、身に着けることで消臭や空気の浄化などの効果も得られる。
【実施例】
【００３４】
レアアース鉱石のナノ粉末が担持された不織布シートの両表面に接着剤を塗布し、上質紙で挟み貼り合わせて、紙素材カード（５５ｍｍ×８．５ｍｍ×０．７６ｍｍ）を作製した。紙素材カードの表面のイオンの数をイオン測定器（ＳＭＡＲＴ  ＩＯＮ  ＭＯＮＩＴＯＲ）で測定したところ、１秒あたり３００〜５００個であり、紙素材カード表面からのイオンの発生を確認した。
【符号の説明】
【００３５】
１０、１０Ａ  積層体
１２  内層
１４、１４Ａ  表面層
１６、１６Ａ  裏面層
２０、２０Ａ  収容容器
２２  空間
２４、２４Ａ  開口部
２６、２６Ａ  チャック部
２８、２８Ａ  取付穴
３０  フック
４０  紐
１００、１１０、１２０  イオン発生器
Ｌ  長さ
Ｗ  幅
Ｔ  厚さ
【図１】
0003231819.tif 000003
【図２】
0003231819.tif 000004
【図３】
0003231819.tif 000005
【図４】
0003231819.tif 000006
【図５】
0003231819.tif 000007